(57)【要約】【課題】容器からも使い捨ておむつ自身からも使い捨ておむつの仕様情報を容易に認識でき、それらの関連付けを容易に行うことができるおむつ包装体を提供する。【解決手段】複数の使い捨ておむつ１が容器４１内に収容されたおむつ包装体５１であって；各使い捨ておむつ１は所定の折り目で折り返され、折り目の外側には使い捨ておむつ１のサイズを表す第１情報２１が表示され；容器４１は、前記折り目が向いている側に形成された開封可能部４２を有するとともに、使い捨ておむつ１のサイズを表す第２情報４３が表示され；第１情報２１と第２情報４３が同じ色で表示されている。おむつ包装体５１は、第１情報２１と第２情報４３の代わりに、使い捨ておむつの吸収容量の区分を表す第３情報２２と第４情報４４とが各々表示され、第３情報２２と第４情報４４が同じ色で表示されていてもよい。【選択図】図１２
2011111165.tif 000002
【特許請求の範囲】
【請求項１】
複数の使い捨ておむつが容器内に収容されたおむつ包装体であって；
前記各使い捨ておむつは所定の折り目で折り返され、前記折り目の外側には、前記使い捨ておむつのサイズを表す第１情報が表示され；
前記使い捨ておむつは、全ての使い捨ておむつの前記折り目が同じ方向を向くように、複数積み重ねられ；
前記容器は、積み重ねられた使い捨ておむつの前記折り目が向いている側に形成された開封可能部を有し；
前記容器には、前記使い捨ておむつのサイズを表す第２情報が表示され；
前記第１情報と前記第２情報は同じ色で表示されているおむつ包装体。
【請求項２】
複数の使い捨ておむつが容器内に収容されたおむつ包装体であって；
前記各使い捨ておむつは所定の折り目で折り返され、前記折り目の外側には、前記使い捨ておむつの吸収容量の区分を表す第３情報が表示され；
前記使い捨ておむつは、全ての使い捨ておむつの前記折り目が同じ方向を向くように、複数積み重ねられ；
前記容器は、積み重ねられた使い捨ておむつの前記折り目が向いている側に形成された開封可能部を有し；
前記容器には、前記使い捨ておむつの吸収容量の区分を表す第４情報が表示され；
前記第３情報と前記第４情報は同じ色で表示されているおむつ包装体。
【請求項３】
前記使い捨ておむつは、前記折り目を挟んで一方面と他方面とが形成され、
前記第１情報または第３情報は、前記折り目から前記一方面および／または前記他方面にかけて表示されている請求項１または２に記載のおむつ包装体。
【請求項４】
前記使い捨ておむつは吸収性コアを有し、使い捨ておむつは、前記折り目で吸収性コアとともに折り返されている請求項１〜３のいずれか一項に記載のおむつ包装体。
【請求項５】
前記使い捨ておむつはパンツ形状に形成され、股部で繋がった前側部と後側部とを有し；
使い捨ておむつは、股部で折り返されて第１の折り目が形成されるとともに、前側部および後側部で第１の折り目と平行に折り返されて第２の折り目が形成され；
第１の折り目および第２の折り目の少なくとも一方の外側に、前記第１情報または第３情報が表示されている請求項１〜４のいずれか一項に記載のおむつ包装体。
【発明の詳細な説明】
【技術分野】
【０００１】
本発明は、使い捨ておむつが容器内に収容されたおむつ包装体に関するものである。
【背景技術】
【０００２】
従来、パンツ型使い捨ておむつの股部、または折り畳まれたパンツ型使い捨ておむつの外側部分に、当該おむつのサイズ等の識別情報が表示されたパンツ型使い捨ておむつが知られている（特許文献１）。前記パンツ型使い捨ておむつは、複数が積み重ねられたおむつ束の状態で、おむつ束の側方から視認可能な箇所に、前記識別情報が表示されている。
【先行技術文献】
【特許文献】
【０００３】
【特許文献１】国際公開第２００５／０２３１６０号
【発明の概要】
【発明が解決しようとする課題】
【０００４】
しかし、特許文献１は、使い捨ておむつの外側部分に識別情報を表示することは開示するものの、使い捨ておむつに付されたサイズ等の識別情報とおむつ束を収容する容器との関連性については何ら言及していない。使い捨ておむつは、一般に、使用前は容器に収容された状態で店頭販売されたり、病院や介護施設等に搬入される。使用者や介護者は、使い捨ておむつを収容する容器を見て、その使い捨ておむつの仕様情報を認識することはできるが、使い捨ておむつそのものからその仕様情報を容易に認識することについては、あまり意識されてこなかった。さらに、容器と、当該容器内に収容された使い捨ておむつとの関連付けを容易にする工夫については、ほとんどなされていない。
【０００５】
本発明は前記事情に鑑みてなされたものであり、その目的は、容器からも使い捨ておむつ自身からも使い捨ておむつの仕様情報を容易に認識でき、それらの関連付けを容易に行うことができるおむつ包装体を提供することにある。
【課題を解決するための手段】
【０００６】
前記課題を解決することができた本発明のおむつ包装体とは、複数の使い捨ておむつが容器内に収容されたおむつ包装体であって；前記各使い捨ておむつは所定の折り目で折り返され、前記折り目の外側には、前記使い捨ておむつのサイズを表す第１情報が表示され；前記使い捨ておむつは、全ての使い捨ておむつの前記折り目が同じ方向を向くように、複数積み重ねられ；前記容器は、積み重ねられた使い捨ておむつの前記折り目が向いている側に形成された開封可能部を有し；前記容器には、前記使い捨ておむつのサイズを表す第２情報が表示され；前記第１情報と前記第２情報が同じ色で表示されているところに特徴を有する。
【０００７】
本発明のおむつ包装体は、前記第１情報に加えて、または前記第１情報の代わりに、使い捨ておむつの吸収容量の区分を表す第３情報が表示され、前記第２情報に加えて、または前記第２情報の代わりに、使い捨ておむつの吸収容量の区分を表す第４情報が表示され、前記第３情報と前記第４情報とが同じ色で表示されていてもよい。
【０００８】
本発明のおむつ包装体は、第１情報と第２情報とが同じ色で表示され、または第３情報と第４情報とが同じ色で表示されているため、容器の開封可能部を開けると、容器内に収容された各使い捨ておむつが容器に表示された仕様のおむつであることを一目で確認することができる。また、容器から使い捨ておむつを取り出した後でも、当該使い捨ておむつの仕様を容易に判断することができる。従って、着用者や介護者が、種類を間違うことなく使い捨ておむつを選ぶことができる。
【０００９】
前記使い捨ておむつは、前記折り目を挟んで一方面と他方面とが形成され、前記第１情報または第３情報は、前記折り目から前記一方面および／または前記他方面にかけて表示されていてもよい。容器の開封可能部を開けて折り目を挟んだ一方面または他方面が視認可能であれば、容器内に収容された使い捨ておむつの第１情報または第３情報をより容易に確認できるようになる。また、使い捨ておむつを容器から出して単独で扱う状態でも、当該使い捨ておむつの第１情報または第３情報を容易に確認することができる。
【００１０】
前記使い捨ておむつは吸収性コアを有し、使い捨ておむつは、前記折り目で吸収性コアとともに折り返されていることが好ましい。この場合、第１情報および／または第３情報は、使い捨ておむつの吸収性コア存在領域に表示されることとなる。使い捨ておむつの吸収性コア存在領域は高い剛性を有し、使い捨ておむつに設けられる弾性部材の影響により、歪みが生じにくいことから、第１情報および／または第３情報が吸収性コア存在領域に表示されていれば、これらの情報を表す文字や記号等が歪んで表示されにくくなり、確認が容易になる。
【００１１】
本発明のおむつ包装体に用いられる使い捨ておむつは、パンツ形状に形成されたおむつであってもよい。すなわち、使い捨ておむつはパンツ形状に形成され、股部で繋がった前側部と後側部とを有し、使い捨ておむつは、股部で折り返されて第１の折り目が形成されるとともに、前側部および後側部で第１の折り目と平行に折り返されて第２の折り目が形成され、第１の折り目および第２の折り目の少なくとも一方の外側に、前記第１情報または第３情報が表示されるものであってもよい。
【発明の効果】
【００１２】
本発明のおむつ包装体は、容器と、当該容器内に収容された使い捨ておむつとの仕様に関する関連付けを容易に行うことができる。着用者や介護者が、種類を間違うことなく使い捨ておむつを選ぶことができる。
【図面の簡単な説明】
【００１３】
【図１】股部の折り目の外側に使い捨ておむつのサイズを表す第１情報が表示されたパンツ型使い捨ておむつの一例を表す。
【図２】図１に示したパンツ型使い捨ておむつを平面視四角形に折り畳む方法の一例を示す。
【図３】図１に示したパンツ型使い捨ておむつを、図２に示す方法に従い折り畳んだ状態を表す。
【図４】平面視四角形に折り畳んだパンツ型使い捨ておむつであって、使い捨ておむつの吸収容量の区分を表す第３情報が表示されたパンツ型使い捨ておむつの一例を表す。
【図５】平面視四角形に折り畳んだパンツ型使い捨ておむつであって、使い捨ておむつのサイズを表す第１情報が表示されたパンツ型使い捨ておむつの一例を表す。
【図６】平面視四角形に折り畳んだパンツ型使い捨ておむつであって、使い捨ておむつのサイズを表す第１情報と使い捨ておむつの吸収容量の区分を表す第３情報が表示されたパンツ型使い捨ておむつの一例を表す。
【図７】平面視四角形に折り畳んだパンツ型使い捨ておむつであって、使い捨ておむつのサイズを表す第１情報と使い捨ておむつの吸収容量の区分を表す第３情報が表示されたパンツ型使い捨ておむつの一例を表す。
【図８】使い捨ておむつを複数積み重ねたおむつ束の一例を表す。
【図９】使い捨ておむつを複数積み重ねたおむつ束の一例を表す。
【図１０】使い捨ておむつが容器に収容されたおむつ包装体の一例を表す。
【図１１】使い捨ておむつが容器に収容されたおむつ包装体の一例を表す。
【図１２】図１１のおむつ包装体の容器の開封可能部を開封した状態を表す。
【発明を実施するための形態】
【００１４】
本発明に用いられる使い捨ておむつは、使用前は容器内に収容されるものである。例えば、使い捨ておむつは容器内に収容されて、店頭販売されたり病院や介護施設等に搬入される。
【００１５】
使い捨ておむつは、容器内に収容された状態で、少なくとも１つの折り目を有している。この折り目の外側には、後述するように、使い捨ておむつのサイズや吸収容量の区分を表す情報が表示される。
【００１６】
使い捨ておむつとしては、例えば、左右に一対の止着部材が設けられ、当該止着部材により着用時にパンツ型に形成するオープン型使い捨ておむつや、パンツ形状に形成されたパンツ型使い捨ておむつが挙げられる。パンツ型使い捨ておむつは、例えば、前側部と後側部とこれらを繋ぐ股部とを有し、前側部と後側部とが接合されることにより、ウェスト開口と一対の脚開口とが形成される。なお、前側部、後側部、股部とは、使い捨ておむつ着用時に、着用者の腹側に当てる部分を前側部と称し、着用者の尻側に当てる部分を後側部と称し、前側部と後側部との間に位置し着用者の股間に当てる部分を股部と称する。使い捨ておむつは、少なくとも股部に吸収性コアが備えられることが好ましい。
【００１７】
パンツ型使い捨ておむつは、内側シートと外側シートとからなる積層体がパンツ形状に形成されて、この積層体が前側部と後側部とこれらを繋ぐ股部とを有し、前記股部に、トップシートとバックシートとの間に吸収性コアが配された吸収性本体が備えられていてもよい。また、パンツ型使い捨ておむつは、トップシートとバックシートとの間に吸収性コアが配された積層体からなり、この積層体がパンツ形状に形成されて、前側部と後側部とこれらを繋ぐ股部とを有していてもよい。
【００１８】
前記トップシートは、液透過性であることが好ましく、トップシートとしては、例えば、セルロース、レーヨン等の親水性繊維から形成された不織布；ポリプロピレン、ポリエチレン、ポリエステル、ポリアミド、ナイロン等の疎水性繊維から形成された不織布であって、当該疎水性繊維の表面が界面活性剤により親水化されたもの等を用いることができる。
【００１９】
前記バックシートは、液不透過性であることが好ましい。バックシートとしては、ポリプロピレン、ポリエチレン、ポリエステル、ポリアミド、ナイロン等の疎水性繊維から形成された不織布や、プラスチックフィルム等を用いることができる。また、不織布とプラスチックフィルムとの積層体を用いてもよい。なお、「液不透過性」とは、「撥水性」の意味も含むものとする。
【００２０】
前記内側シートは、親水性または液不透過性であることが好ましく、前記外側シートは、液不透過性であることが好ましい。親水性の内側シートとしては、前記トップシートに使用可能な素材を用いればよい。液不透過性の内側シートまたは外側シートとしては、前記バックシートに使用可能な素材を用いればよい。
【００２１】
前記吸収性コアは、尿等の排泄物を吸収できるものであれば特に限定されない。吸収性コアとしては、例えば、吸収性材料を所定形状に成形した成形体を用いたり、あるいは吸収性材料を紙シート（例えば、ティッシュペーパー）や液透過性不織布シート等の被覆シートで覆ったものを用いることができる。吸収性コアに含まれる吸収性材料としては、例えば、粉砕したパルプ繊維、セルロース繊維等の親水性繊維や、ポリアクリル酸系、セルロース系、デンプン・アクリロニトリル系等の吸水性樹脂等が挙げられる。吸収性材料としては、少なくとも吸水性樹脂を含んでいることが好ましい。また、吸収性材料として、親水性繊維の集合体に吸水性樹脂を混合または散布したものを用いてもよい。吸収性コアの形状は特に限定されない。吸収性コアの形状としては、例えば、長方形、砂時計型、ひょうたん型、羽子板型等が挙げられる。
【００２２】
使い捨ておむつには、吸収性コアの両側縁に沿って、立ち上がりフラップが設けられていることが好ましい。立ち上がりフラップを設けることにより、尿等の排泄物の横漏れを防ぐことができる。立ち上がりフラップは、液不透過性であることが好ましい。立ち上がりフラップは、立ち上がりを容易にするために、自由端に起立用弾性部材が設けられることが好ましい。
【００２３】
使い捨ておむつには、前側部や後側部のウェスト開口の縁に沿ってウェスト用弾性部材が設けられることが好ましい。ウェスト用弾性部材により、着用者が寝ている状態でも、背中側や腹側からの尿等の排泄物の漏れが起こりにくくなる。ウェスト用弾性部材は、複数本設けられてもよい。
【００２４】
使い捨ておむつには、脚開口の縁に沿って脚用弾性部材が設けられることが好ましい。脚用弾性部材により、脚開口の縁からの尿等の排泄物の漏れが防止される。脚用弾性部材は、複数本設けられてもよい。
【００２５】
使い捨ておむつには、前側部および／または後側部に複数の胴周り用弾性部材が使い捨ておむつの幅方向に設けられることが好ましい。胴周り用弾性部材により、使い捨ておむつの下腹部と臀部周りのフィット性が向上する。パンツ型の使い捨ておむつには、特に、胴周り用弾性部材が設けられることが好ましい。
【００２６】
各弾性部材は、ポリウレタン糸、ポリウレタンフィルム、天然ゴム等の通常使い捨ておむつに用いられる弾性伸縮材料が用いることができる。各弾性部材は、伸張状態で、ホットメルト接着剤で固定されることが好ましい。例えば、繊度１００〜２，５００ｄｔｅｘのポリウレタン糸を、倍率１．１〜５．０倍に伸張して配設し、固定する。接合手段としては、好ましくは、ゴム系のホットメルト接着剤である。
【００２７】
使い捨ておむつは、所定の折り目で折り返され、折り目の外側には、使い捨ておむつの仕様情報が表示される。使い捨ておむつを所定の折り目で折り返すことにより、当該折り目を挟んで一方面と他方面とが形成される。この際、一方面と他方面とは、略平行に重ねられる。仕様表示は、前記折り目の外側のみに設けられてもよく、前記折り目から前記一方面および／または前記他方面にかけて表示されてもよい。
【００２８】
仕様情報が折り目の外側に設けられていれば、後述するように、複数の使い捨ておむつを積み重ねた状態で、各使い捨ておむつの仕様情報を視認することができるようになる。また、仕様情報が、折り目から、当該折り目を挟んだ一方面および／または他方面にかけて表示されていれば、使い捨ておむつを容器から出して単独で扱う状態でも、当該使い捨ておむつの仕様情報を容易に確認することができる。
【００２９】
使い捨ておむつの折り目が形成される箇所は特に限定されないが、使い捨ておむつは容器に好適に収容されるように折り目で折り返されることが好ましい。例えば、使い捨ておむつは、二つ折りに折り畳まれたり、三つ折りに折り畳まれたり、直方体形状の容器に好適に収容されるように平面視四角形（好ましくは、平面視長方形）に折り畳まれる。
【００３０】
折り目の外側に表示される使い捨ておむつの仕様情報は、使い捨ておむつのサイズを表す第１情報、および／または、使い捨ておむつの吸収容量の区分を表す第３情報である。第１情報としては、「Ｓ」、「Ｍ」、「Ｌ」等の使い捨ておむつのサイズを表す文字が表されたり、使い捨ておむつのサイズに応じた記号、図柄、または図形等が表されてもよい。第３情報としては、収容可能な排尿回数として「２回分」、「４回分」等の文字が表されたり、吸収容量の区分に応じた数字や記号、図柄、または図形等が表されてもよい。
【００３１】
第１情報および／または第３情報は、特定の色で表示される。好ましくは、第１情報および／または第３情報は、白以外の特定の色で表示される。一般に使い捨ておむつは白色の地を有するところ、第１情報および／または第３情報が白以外の色で表示されていれば、第１情報および／または第３情報を容易に確認することができる。
【００３２】
パンツ型使い捨ておむつを例にとって、図を用いて、折り目の形成箇所と第１情報および第３情報の表示の実施態様例を以下に説明する。
【００３３】
図１は、パンツ型使い捨ておむつの外観図を表す。図１では、使い捨ておむつ１はパンツ形状に形成され、股部２で繋がった前側部３と後側部４とを有する。使い捨ておむつ１には、股部２から前側部３および後側部４にかけて、吸収性コア５が設けられている。
【００３４】
使い捨ておむつ１は、股部２で折り返されて第１の折り目１１が形成されている。前側部３と後側部４とは、第１の折り目１１を挟んで形成されて互いに重ねられ、重ねられた前側部３と後側部４とは、互いの側縁どうしが接合されて、ウェスト開口と一対の脚開口が形成される。使い捨ておむつ１には、ウェスト開口の縁に沿ってウェスト用弾性部材６が設けられ、脚開口の縁に沿って脚用弾性部材７が設けられ、前側部３と後側部４とに使い捨ておむつの幅方向に胴周り用弾性部材８が設けられている。第１の折り目１１の外側には、使い捨ておむつ１のサイズを表す第１情報２１が表示されている。図１では、第１情報として、「Ｍ」の文字が表示されている。
【００３５】
パンツ型使い捨ておむつは、図１に示すような平面視パンツ形の状態で、使い捨ておむつ１の前側部３と隣接する使い捨ておむつの後側部４とが重なるように、複数の使い捨ておむつ１を積み重ねておむつ束を形成し、このおむつ束を容器に収容してもよい。しかし、おむつ束は収納効率を高めるようによりコンパクトに形成されることが好ましい。従って、パンツ型使い捨ておむつは平面視四角形に折り畳まれ、このように折り畳まれた使い捨ておむつが積み重ねられておむつ束を形成することが好ましい。
【００３６】
図２には、図１に示したパンツ型使い捨ておむつを平面視四角形に折り畳む方法の一例を示す。使い捨ておむつ１は、幅方向に右側部１３と左側部１４とこれらの間の中央部１５とに区分され、上下方向に上方部１６と下方部１７とに区分される。なお、幅方向および上下方向とは、着用者が使い捨ておむつを着用して起立した状態での左右方向および上下方向を意味する。また、左側部および右側部とは、使い捨ておむつ着用時、着用者の左側に位置する部分および右側に位置する部分を各々意味する。図２では、右側部１３と中央部１５とがＸ−Ｘ線で区分され、左側部１４と中央部１５とがＹ−Ｙ線で区分され、上方部１６と下方部１７とがＺ−Ｚ線で区分される。使い捨ておむつ１は、右側部１３がＸ−Ｘ線で中央部１５側に折り返され、左側部１４がＹ−Ｙ線で中央部１５側に折り返され、右側部１３と左側部１４とが中央部１５に重ねられる（図２（ａ），（ｂ）参照）。次いで、使い捨ておむつ１は、下方部１７がＺ−Ｚ線で上方部１６側に折り返され、下方部１７が上方部１６に重ねられる（図２（ｂ），（ｃ）参照）。
【００３７】
図３には、図１に示したパンツ型使い捨ておむつを、図２に示す方法に従い折り畳んだ状態の外観図を表す。図３では、使い捨ておむつ１は、平面視四角形に折り畳まれている。使い捨ておむつ１は、図３のように折り畳まれることにより、複数の使い捨ておむつ１を積み重ねて容器に収容することが容易になる。また、複数の使い捨ておむつ１が積み重ねられて形成されたおむつ束がコンパクトになり、収容効率が向上する。さらに、図３のように折り畳むことにより、使い捨ておむつ１を積み重ねておむつ束とした状態でも、股部に形成された第１の折り目１１に表示された仕様情報（図３では第１情報２１）を、おむつ束の側方から視認することができる。
【００３８】
使い捨ておむつ１の仕様情報は、図１に示したようなパンツ型使い捨ておむつを折り畳むことにより形成される折り目に表示されてもよい。これについて、図４を用いて説明する。
【００３９】
図４では、図２のＺ−Ｚ線で折り返された折り目１２（以下、「第２の折り目」と称する場合がある）の外側に、使い捨ておむつの吸収容量の区分を表す第３情報２２が表示されている。図４では、第３情報２２として、滴形状の記号と数字とが表示されている。図４では、４回分の排尿の吸収容量を有するおむつとして、滴形状の記号が４つ並んで表示されるとともに、「４」との数字が表示されている。第２の折り目１２は、第１の折り目１１と平行に設けられることが好ましく、それにより使い捨ておむつ１をコンパクトに平面視四角形に折り畳むことが容易になる。この場合、第２の折り目１２は、前側部および後側部に前記第１の折り目１１と平行に形成され、第２の折り目１２の外側に使い捨ておむつの仕様情報が表示されることとなる。
【００４０】
図１、図３および図４では、使い捨ておむつの仕様情報は所定の折り目の外側のみに設けられていたが、使い捨ておむつは、前記折り目を挟んで一方面と他方面とが形成され、仕様情報は、前記折り目から一方面および／または他方面にかけて表示されてもよい。これについて、図５〜図７を用いて説明する。
【００４１】
図５では、股部に形成された第１の折り目１１に、第１情報２１として「Ｍ」の文字が表示されるとともに、第１の折り目１１を挟む一方面にも第１情報２１の「Ｍ」の文字が表示されている。なお、図５では、折り目を挟んで形成される一方面と他方面とは、使い捨ておむつの前側部３と後側部４とに相当する。
【００４２】
図１、図３〜図５では、第１情報２１および第３情報２２は、文字、数字または記号で表示されていたが、これらの文字、数字および記号は、後述するように特定の色で表示される。また、第１情報２１および第３情報２２は、図６および図７に示されるように、図形または図柄で示されてもよい。
【００４３】
図６では、第１の折り目１１の外側、第１の折り目１１を挟んだ一方面と他方面、第２の折り目１２の外側、および第２の折り目１２を挟んだ一方面と他方面とに、３本の直線が平行に延びている。なお、図６では、第１の折り目１１を挟んだ一方面と、第２の折り目１２を挟んだ一方面とは、共通する。３本の直線のうち、中央の直線は第１情報２１を表し、その両側の直線は第３情報２２を表す。
【００４４】
図７では、第２の折り目１２の外側に第１情報２１として「Ｍ」の文字が表示されるとともに、第３情報２２として第１情報２１を囲んで四角形が表示されている。第３情報２２の四角形は、第２の折り目１２から、第２の折り目１２を挟んだ一方面と他方面とにかけて表示されている。
【００４５】
図６および図７において、第１情報と第３情報は各々特定の色で表示される。また、第１情報と第３情報とは、異なる色で表示されることが好ましい。
【００４６】
第１情報および第３情報を使い捨ておむつに設ける方法は特に限定されないが、第１情報および第３情報はインクジェット方式により使い捨ておむつに印刷されていることが好ましい。インクジェット方式で印刷すれば、第１情報および第３情報が複雑あるいは細かい形状や色彩であっても、これらの情報を良好に使い捨ておむつに付すことが容易になる。
【００４７】
第１情報および／または第３情報が表示される折り目は、使い捨ておむつが吸収性コアとともに折り返されて形成される折り目であることが好ましい。すなわち、第１情報および／または第３情報は、使い捨ておむつの外面の吸収性コア存在領域に表示されることが好ましい。使い捨ておむつの吸収性コア存在領域は高い剛性を有し、使い捨ておむつに設けられる弾性部材の影響により、歪みが生じにくい。従って、第１情報および／または第３情報が吸収性コア存在領域に表示されていれば、これらの情報を表す文字や記号等が歪んで表示されにくくなり、確認が容易になる。
【００４８】
使い捨ておむつは、複数積み重ねられて、おむつ束を形成する。この際、使い捨ておむつは、使い捨ておむつの一方面と、隣接する使い捨ておむつの他方面とが重なるように、積み重ねられる。その結果、おむつ束は、使い捨ておむつの一方面と他方面とが外側に面する両端面と、当該両端面の間に使い捨ておむつの折り目や端縁が外側に面する側面とを有することとなる。なお、一方面および他方面とは、前記説明したように、第１情報および／または第３情報が表示された折り目を挟んで形成される面を意味する。さらに、全ての使い捨ておむつは、第１情報および／または第３情報が表示された折り目が同じ方向を向くように、複数積み重ねられる。その結果、使い捨ておむつは積み重ねられた状態で、おむつ束を側面から見て、各使い捨ておむつの仕様情報を確認することができるようになる。
【００４９】
さらに、第１情報および／または第３情報が、折り目から、当該折り目を挟んだ一方面および／または他方面にかけて表示されていれば、おむつ束を端面から見た場合でも、おむつの仕様情報を確認することができる。
【００５０】
図８および図９に、使い捨ておむつを複数積み重ねたおむつ束の例を示す。図８には、図３で示したような平面視四角形に折り畳まれた使い捨ておむつ１を複数積み重ねた例を示し、図９には、図４で示したような平面視四角形に折り畳まれた使い捨ておむつ１を複数積み重ねた例を示す。なお、図８および図９では、第１情報２１および第３情報２２を、便宜上「Ｘ」で表している。
【００５１】
図８では、使い捨ておむつ１は、第１の折り目１１に使い捨ておむつの第１情報２１および／または第３情報２２が表示され、第１の折り目１１が同じ方向を向くように複数の使い捨ておむつ１が積み重ねられておむつ束３１を形成している。従って、使い捨ておむつ１は積み重ねられた状態で、各使い捨ておむつ１の第１の折り目１１に表示された第１情報２１および／または第３情報２２を視認することができるようになる。
【００５２】
図９では、使い捨ておむつ１は、第２の折り目１２に使い捨ておむつの第１情報２１および／または第３情報２２が表示され、第２の折り目１２が同じ方向を向くように複数の使い捨ておむつ１が積み重ねられておむつ束３１を形成している。従って、使い捨ておむつ１は積み重ねられた状態で、各使い捨ておむつ１の第２の折り目１２に表示された第１情報２１および／または第３情報２２を視認することができるようになる。
【００５３】
積み重ねられた複数の使い捨ておむつは容器内に収容され、おむつ包装体を形成する。前記容器は、使い捨ておむつを収容できるものであれば特に限定されず、例えば、プラスチックフィルム製の袋、紙製の袋、プラスチック製の硬質容器、段ボール等が挙げられる。
【００５４】
容器は、開封可能部を有する。本発明のおむつ包装体は、容器の開封可能部を開けることで、容器内に収容された使い捨ておむつを取り出すことができる。開封可能部としては、例えば、ミシン目、蓋、容器の開口を塞ぐ粘着テープ等が挙げられる。
【００５５】
容器の開封可能部は、積み重ねられた使い捨ておむつの仕様情報が表示された折り目が向いている側に形成される。すなわち、本発明においては、使い捨ておむつが積み重ねられたおむつ束の少なくとも一側面に第１情報および／または第３情報が表示されるが、容器の開封可能部は、おむつ束の前記一側面が面する側に形成される。従って、容器の開封可能部を開けると、容器内に収容された使い捨ておむつの第１情報および／または第３情報を、すぐに視認することができる。
【００５６】
さらに、容器の開封可能部が、使い捨ておむつの折り目を挟んだ一方面または他方面が向いている側にも形成され、使い捨ておむつも、第１情報および／または第３情報が折り目を挟んで一方面および／または他方面にかけて表示されていれば、容器の開封可能部を開けた際、容器内に収容された使い捨ておむつの第１情報および／または第３情報をさらに容易に確認できるようになる。
【００５７】
容器には、内部に収容する使い捨ておむつのサイズを表す第２情報、および／または、内部に収容する使い捨ておむつの吸収容量の区分を表す第４情報が表示される。第２情報としては、「Ｓ」、「Ｍ」、「Ｌ」等の使い捨ておむつのサイズを表す文字が表されたり、使い捨ておむつのサイズに応じた記号、図柄、または図形等が表されてもよい。第４情報としては、収容可能な排尿回数として「２回分」、「４回分」等の文字が表されたり、吸収容量の区分に応じた数字や記号、図柄、または図形等が表されてもよい。
【００５８】
本発明のおむつ包装体は、第１実施態様として、使い捨ておむつの所定の折り目に表示された第１情報と、容器に表示された第２情報とが同じ色で表示される。使い捨ておむつのサイズを表す第１情報と第２情報は、サイズに応じて異なる色で表示されることが好ましい。
【００５９】
本発明のおむつ包装体は、第２実施態様として、使い捨ておむつの所定の折り目に表示された第３情報と、容器に表示された第４情報とが同じ色で表示される。使い捨ておむつの吸収容量の区分を表す第３情報と第４情報は、吸収容量の区分に応じて異なる色で表示されることが好ましい。第３情報と第４情報は、吸収容量と関連して、吸収性コアの種別に応じて用いる色を変えてもよい。例えば、吸収性コアは、使用される吸収性材料の種類や配合割合等に応じて、同じ吸収容量でも吸収性コアの厚みが変化し得る。このような場合、吸収性コアの種別によっても、第３情報および第４情報の色を変えてもよい。
【００６０】
図１０および図１１に、使い捨ておむつが容器に収容されたおむつ包装体の例を示す。図１０および図１１では、容器４１に、使い捨ておむつ１の商品名のロゴとして「Ｄｉａｐｅｒ」との文字表示が付されるとともに、容器４１内に収容された使い捨ておむつのサイズ表示や図柄等が付されている。また、容器４１の上部に開封可能部４２としてミシン目が形成されている。図１０および図１１では、ミシン目が、容器の上面からその隣接面にわたって形成されている。
【００６１】
図１０では、容器４１に第２情報４３として「Ｍ  ｓｉｚｅ」との文字が表示され、第４情報４４として、「４」との数字とともに、滴形状の記号が４つ並んで表示されている。第２情報４３の「Ｍ  ｓｉｚｅ」との文字は、容器４１内に収容された使い捨ておむつ１の第１情報２１と同じ色で表示され、第４情報４４の「４」の数字と滴形状の記号は、容器４１内に収容された使い捨ておむつ１の第３情報２２と同じ色で表示される。
【００６２】
図１１では、容器４１に第２情報４３として「Ｍ  ｓｉｚｅ」との文字が表示され、第４情報４４として、容器４１の上半分に特定の色の図柄が付されている。第２情報４３の「Ｍ  ｓｉｚｅ」との文字は、容器４１内収容された使い捨ておむつ１の第１情報２１と同じ色で表示され、第４情報４４の図柄は、容器４１内に収容された使い捨ておむつ１の第３情報２２と同じ色で表示される。
【００６３】
使い捨ておむつ１は、吸収容量の区分に応じて一連のシリーズが構成される場合がある。具体的には、大吸収容量のシリーズ、中吸収容量のシリーズ、小吸収容量の薄型のシリーズ等のシリーズが構成される。このような場合、図１１に示すように第４情報４４が図柄として表示されれば、容器４１を見てどのシリーズの使い捨ておむつ１か容易に識別でき、便利である。さらに、第４情報４４と同じ色の第３情報２２が使い捨ておむつ１に表示されているため、使い捨ておむつ１からも自身のシリーズを容易に認識できる。
【００６４】
図１０および図１１では、容器４１に第２情報４３と第４情報４４の両方が表示されているが、このような場合でも、当該容器４１に収容される使い捨ておむつ１には、必ずしも第１情報２１と第３情報２２の両方が表示されなくてもよい。使い捨ておむつ１には、第１情報２１と第３情報２２の少なくとも一方が表示されていればよい。逆に、使い捨ておむつ１に第１情報２１と第３情報２２の両方が表示されている場合も、当該使い捨ておむつ１を収容する容器４１には、第２情報４３と第４情報４４の少なくとも一方が表示されていればよい。
【００６５】
図１２には、本発明のおむつ包装体５１として、図１１に示した容器４１の開封可能部４２を開封した図を示す。図１２では、開封可能部４２が容器４１の上面に設けられ、使い捨ておむつ１の第１情報２１および／または第３情報２２が表示された折り目が上方を向くように、積み重ねられた使い捨ておむつ１が収容されている。すなわち、容器４１は、積み重ねられた使い捨ておむつ１の第１情報２１および／または第３情報２２が表示された折り目が向いている上面に、開封可能部４２が形成されている。なお、図１２では、複数の使い捨ておむつ１が積み重ねられたおむつ束３１が、上下に２段積まれ、容器４１に収容されているが、容器４１に収容されるおむつ束３１は１つのみでも、２つ以上でもよい。
【００６６】
本発明のおむつ包装体は、容器の開封可能部が、積み重ねられた使い捨ておむつの仕様情報が表示された折り目が向いている側に形成され、さらに第１情報と第２情報とが同じ色で表示され、または第３情報と第４情報とが同じ色で表示されているため、容器の開封可能部を開けると、容器内に収容された各使い捨ておむつが容器に表示された仕様のおむつであることを一目で確認することができる。また、容器から使い捨ておむつを取り出した後でも、当該使い捨ておむつの仕様を容易に判断することができる。従って、着用者や介護者が、種類を間違うことなく使い捨ておむつを選ぶことができる。特に、様々な種類の使い捨ておむつを常備する病院や施設等では、一目で使い捨ておむつ自身の仕様や容器に収容された使い捨ておむつの仕様を確認でき、便利である。
【００６７】
また、前記説明したように、使い捨ておむつは吸収容量の区分に応じて一連のシリーズが構成される場合があるが、一般の使い捨ておむつは容器からそのシリーズを容易に認識できたとしても、一旦容器から使い捨ておむつを取り出してしまえば、その使い捨ておむつがどのシリーズのものであるか識別することが難しい。しかし、本発明のように、使い捨ておむつに第３情報が表示されていれば、容器から取り出した状態でも、使い捨ておむつがどのシリーズのものであるか、容易に識別できる。
【００６８】
老人ホーム等の介護施設においては、特に、本発明のおむつ包装体が好適に用いられる。老人ホーム等の介護施設では、細かい文字や記号を識別することが困難な老人が使い捨ておむつを使用するため、使い捨ておむつや容器に文字や記号の情報のみが付されている場合は、そのような老人が自分の使用する使い捨ておむつの仕様を認識することは困難となりがちである。しかし、使い捨ておむつの仕様が色情報で表示される本発明においては、自分の使用する使い捨ておむつの仕様を容易に認識することができる。さらには、使い捨ておむつの第１情報および／または第３情報と、容器の第２情報および／または第４情報とを対比して、自分の使用する使い捨ておむつを老人自らが選ぶことも容易になる。介護者にとっても、使い捨ておむつの着用者が適切な仕様の使い捨ておむつを着用しているか一目で分かるため、便利である。従って、本発明は特に、大人用の使い捨ておむつに好適に使用できる。
【符号の説明】
【００６９】
１：  使い捨ておむつ
２：  股部
３：  前側部
４：  後側部
５：  吸収性コア
１１：  第１の折り目
１２：  第２の折り目
２１：  第１情報
２２：  第３情報
４１：  容器
４２：  開封可能部
４３：  第２情報
４４：  第４情報
５１：  おむつ包装体
【図１】
2011111165.tif 000003
【図２】
2011111165.tif 000004
【図３】
2011111165.tif 000005
【図４】
2011111165.tif 000006
【図５】
2011111165.tif 000007
【図６】
2011111165.tif 000008
【図７】
2011111165.tif 000009
【図８】
2011111165.tif 000010
【図９】
2011111165.tif 000011
【図１０】
2011111165.tif 000012
【図１１】
2011111165.tif 000013
【図１２】
2011111165.tif 000014